(57)【特許請求の範囲】
【請求項１】
インライン型カラー受像管として用い、偏向ヨークが全体として糸巻歪の磁界を形成する水平コイルと、全体として樽型歪の磁界を形成する垂直コイルと、前記水平コイルの外周に形成され、前記水平コイルと前記垂直コイルとを絶縁しかつ保持する樹脂製枠と、前記垂直コイルの外周に形成された磁束を強めるフェライトコアとを備えた陰極線管装置であって、リファレンスラインに対してスクリーン側における前記水平コイルのコーン部の巻線角度が０度以上３０度以下である部分の長さが、前記リファレンスラインから２５ｍｍ以上であることを特徴とする陰極線管装置。
【請求項２】
さらに、前記フェライトコアのスクリーン側端部とリファレンスラインとの距離が２５ｍｍより短い請求項１記載の陰極線管装置。
【発明の詳細な説明】
【０００１】
【発明の属する技術分野】
本発明はモニターやテレビジョン受像機等に用いられる陰極線管装置に関するものである。
【０００２】
【従来の技術】
以下、テレビジョン受像機やコンピュータディスプレイモニター等に用いられる従来の陰極線管装置について図１を用いて説明する。図１は本発明の実施形態に係るものであるが、本図の構成は、従来例でも同様であるので本図を用いて説明する。図１は陰極線管装置の側面図であり、上側半分は断面図を示している。陰極線管１は、パネル２とこれに接合された漏斗状のファンネル３とを備えている。パネル２の内部には蛍光面（図示省略）が形成され、シャドウマスク（図示省略）が設けられている。ファネル３のネック部４には、インライン状に配列された電子銃（図示省略）が内装されている。
【０００３】
１１は電子ビームを水平、垂直方向に偏向する偏向ヨークである。１２は画面中央におけるピュリティとコンバーゼンスを調整するいわゆるＣＰＵで、２Ｐ（２極磁界を発生するマグネット）、４Ｐ（４極磁界を発生するマグネット）、６Ｐ（６極磁界を発生するマグネット）を備えている。
【０００４】
１３はリファレンスラインを示す。電子ビームは前記電子銃から発射されるが、リファレンスライン１３から出射され対角点に到達するのと等価である。Ａは偏向角を示す。偏向角Ａが９０度の９０度偏向方式で、パネル２が従来のいわゆる小曲率を持ったラウンドタイプであれば、画面上下における画像歪は、画像歪の自動補正を行うセルフコンバーゼンスシステムによって、偏向ヨーク１１自身による自動補正が比較的容易であった。
【０００５】
このように自動補正が比較的容易である理由について、図５、６を用いて説明する。図５は、管軸上の位置Ｐと偏向ヨークから発生している磁界Ｈとの関係を示している。磁界Ｈは、偏向ヨーク部全体の磁界に対する位置Ｐにおける磁界の割合を示している。横軸Ｐは、コンバーゼンスやラスター歪等の各性能への寄与率によって、ｂ点より右側のスクリーン側領域５、ａ点とｂ点との間の中間部領域６、ａ点より左側の電子銃側領域７の３領域に分けられる。
【０００６】
図６は、管軸上の位置Ｐとコンバーゼンスコマ８、コンバーゼンス非点収差９およびラスター歪１０の各特性への磁界Ｈの寄与率Ｒとの関係を示している。寄与率Ｒとは、磁界Ｈが各特性に影響を与える度合いのことである。図５、６の関係は周知であり、これら関係よりコイル長が一定の場合には、ラスターの糸巻歪はスクリーン側領域５の磁界に大きく影響を受けることが分かる。また、画面上下ラスターの糸巻歪は水平磁界の磁界歪に大きく影響され、画面左右ラスターの糸巻歪は垂直磁界の磁界歪に大きく影響されることも周知である。
【０００７】
前記のようなことから、水平磁界の特にスクリーン側領域５における糸巻歪をあらかじめ強め、かつスクリーン側領域５の寸法を出来る限り小さくすることで、画面上下ラスターの糸巻歪の自動補正を比較的容易に実現していた。
【０００８】
図７は、画面上下ラスターの糸巻歪が自動補正された状態の一例を示しており、破線で示した糸巻歪が、矢印で指示した水平線に自動補正された状態を示している。
【０００９】
【発明が解決しようとする課題】
しかしながら、最近のパネルは例えば２Ｒタイプ等、従来のものと比べてよりフラット化されている。また偏向角も１００度や１１０度等に広角化されている。このような受像管においては、前記の画面上下ラスターの糸巻歪自身が大きくなり自動補正が困難であるという問題があった。
【００１０】
このため、例えば、図８に示すように偏向ヨーク２１の開口部上下にマグネット２２を装着する方法や、特開昭５９ー３８４９号公報に示されているようにコイル寸法を小型コンパクトにして偏向中心を出来る限り陰極線管ネック部に移動させ実効的な偏向角度を小さくする方法が提案されている。
【００１１】
しかし、これらの方法でも依然として自動補正が困難であり、別途電気回路による補正が必要となるという問題があった。このためマルチスキャン対応も不可能であった。
【００１２】
本発明は前記問題点を解消し、水平コイルのスクリーン側長さを延ばすことにより、よりフラット化されたパネルや広角偏向化された受像管においても画面上下ラスターの糸巻歪を偏向ヨーク自身で自動補正できる陰極線管装置を提供することを目的としている。
【００１３】
【課題を解決するための手段】
前記目的を達成するために、本発明の陰極線管装置は、インライン型カラー受像管として用い、偏向ヨークが全体として糸巻歪の磁界を形成する水平コイルと、全体として樽型歪の磁界を形成する垂直コイルと、前記水平コイルの外周に形成され、前記水平コイルと前記垂直コイルとを絶縁しかつ保持する樹脂製枠と、前記垂直コイルの外周に形成された磁束を強めるフェライトコアとを備えた陰極線管装置であって、リファレンスラインに対してスクリーン側における前記水平コイルのコーン部の巻線角度が０度以上３０度以下である部分の長さが、前記リファレンスラインから２５ｍｍ以上であることを特徴とする。
【００１４】
前記のような陰極線管装置によれば、画面上下のラスター歪の補正に効果的な水平コイルのスクリーン側長さが延長されていることにより、糸巻歪を強くすると共に糸巻歪を強くする磁界領域を広げることができるので、よりフラット化されたパネルや広角偏向化された受像管においても偏向ヨーク自身による画面上下のラスター歪の自動補正が可能となる。
【００１５】
また、前記陰極線管装置においては、前記フェライトコアのスクリーン側端部とリファレンスラインとの距離が２５ｍｍより短いことが好ましい。前記のような構成とすれば、糸巻歪をより強くすることができる。
【００１６】
【発明の実施の形態】
以下、本発明の陰極線管装置の一実施形態について図面を用いて説明する。図１に示した構成は従来例と同様であるため、図１を用いての説明は省略する。
【００１７】
図２は図１の偏向ヨーク部１１の拡大図で、１４は水平コイル、１５は垂直コイルである。１６は樹脂製枠で、水平コイル１４と垂直コイル１５とを絶縁し、かつ保持している。２０はフェライトコアで、垂直コイル１５の外周に外装されている。水平コイル１４、垂直コイル１５、フェライトコア２０は、それぞれラッパ状のコーン部を形成している。
【００１８】
偏向ヨーク部１１において、水平コイル１４は全体として糸巻歪を形成し、垂直コイル１５は全体として樽型歪を形成する。ここで、全体として糸巻歪を形成するとは、偏向ヨーク部１１の電子銃側からスクリーン側の歪をすべて積分すれば、糸巻歪を形成するという意味である。すなわち、水平コイル１４は一部に樽型歪を形成したとしても、偏向ヨーク部１１の全体について積分すれば、糸巻歪を形成する。このことは、垂直コイル１５についても同様である。
【００１９】
次に、偏向ヨーク部１１の各部の寸法関係について説明する。本発明の実施形態では、水平コイル１４のスクリーン側コーン部端部１７とリファレンスライン１３との距離Ｃは２５ｍｍ以上である。例えば、距離Ｃを３０ｍｍとした場合の実施形態の各部寸法の一例について以下説明する。
【００２０】
水平コイル１４の電子銃側コーン部端部１７ａとリファレンスライン１３との距離Ｅを５３ｍｍとした。また、垂直コイル１５のスクリーン側コーン部端部１８とリファレンスライン１３との距離Ｆは２２ｍｍとし、垂直コイル１５の電子銃側コーン部端部１８ａとの距離Ｇは４７ｍｍとした。
【００２１】
また、フェライトコア２０のスクリーン側端部１９とリファレンスライン１３との距離Ｈを２０ｍｍとし、フェライトコア２０の電子銃側端部１９ａとの距離Ｊは４５ｍｍとした。
【００２２】
距離Ｃは従来例では１６〜２３ｍｍであったのに対して、本発明の実施形態では２５ｍｍ以上で、例えば前記実施形態のものは３０ｍｍである。このため、従来例と比べると本実施形態のものは、水平コイル１４の偏向中心がスクリーン側に移動していることになる。
【００２３】
このため、画面上下ラスターの糸巻歪がいったんは大きくなることになる。しかし、詳細は図４を用いて後記するが、水平コイル１４を長くしていることにより、画面上下ラスターの樽型歪も大きくなるため、この樽型歪により糸巻歪を打ち消して補正が可能となる。
【００２４】
また、フェライトコア２０の長さは固定したままで、水平コイル１４のみをスクリーン側に長くすれば、水平コイル１４を長くした分、フェライトコア２０で覆われていない部分ができることになる。このようなフェライトコアで覆われていない部分があることによって、より強い糸巻歪を得ることができる。これは、フェライトコア２０はコイルから発生する磁界を強める作用もあるが、同時に磁界の歪みを斉一化する作用もあるからである。
【００２５】
したがって、より強い糸巻歪を得ようとすれば、フェライトコア２０で覆われていない部分を設ければよい。このようなフェライトコア２０で覆われていない部分を設けるためには、本実施形態では水平コイル１４の距離Ｃは２５ｍｍ以上であるが、フェライトコア２０のスクリーン側端部１９とリファレンスライン１３との距離Ｈは２５ｍｍより短かくすることが好ましい。
【００２６】
次に、水平コイル１４の巻線角度について説明する。本実施形態では、距離Ｃ部分の巻線角度は０度から３０度までの間としている。このような巻線角度の設定としたのは、最適な糸巻歪を得るためであり、以下具体的に説明する。
【００２７】
この設定については、特公昭５８−２１７７２号公報に提案されている方法を用いた。図３に巻線角度Ｂと磁界の歪係数Ｈｉとの関係を示している。線２３は軸上の歪係数、線２４は２次歪成分における歪係数、線２５は４次歪成分における歪係数を表している。同一巻線角度Ｂにおける線２３の歪係数をＨ０、線２４の歪係数をＨ２、線２５の歪係数をＨ４とし、水平コイル１４の中心軸からの距離をｒとすると、磁界歪Ｈは以下の式で算出できる。
【００２８】
Ｈ＝Ｈ０＋Ｈ２ｒ２＋Ｈ４ｒ４
前記のような関係式を用いれば、巻線角度Ｂは０度から３０度までの間が最も糸巻歪が強くなることがわかる。
【００２９】
以下、本発明の実施形態による自動補正について、図４に示した実験結果を用いて具体的に説明する。図４の結果を測定するのに用いた陰極線管装置は、偏向角は１００度でパネルは２Ｒタイプのものとした。
【００３０】
図４の横軸Ｃは、図２に示した距離Ｃと同一である。したがって、横軸Ｃが２５ｍｍ以上の部分が本発明の実施形態の実験結果を示していることになる。例えば、横軸Ｃが３０ｍｍの部分については、図２に示した距離Ｃが３０ｍｍの実施形態の測定結果を示していることになる。
【００３１】
縦軸Ｄは画面上下のラスター歪みを示しており、横軸Ｃより上側の部分が糸巻歪、横軸Ｃより下側の部分が樽型歪を表している。
【００３２】
線２６は、偏向中心が移動したことによる効果を示している。線２７は、水平コイル１４の長さの延長による効果を示している。この場合は、水平コイル１４長さを延長した分、フェライトコア２０の長さも延長した。線２８は、水平コイル１４の長さの延長による効果に、フェライトコア２０で覆われないことによる効果を加算した効果を示している。すなわち、線２８の測定結果を得るのに用いた装置は、水平コイル１４の長さのみを延長し、フェライトコアは延長せずにそのままとした。
【００３３】
線２６より分かるように、水平コイル１４のスクリーン側における磁界を一定に保ったまま水平コイル１４の長さを延ばすと画面上下のラスター歪の糸巻歪は次第に増加する。一方、水平コイル１４の長さを延長すると共に水平軸上のコンバーゼンスがずれないように電子銃側で樽型歪を強めながらスクリーン側では糸巻歪を強めてゆくと線２７、２８より分かるように画面上下のラスター歪は次第に樽型になってくる。特に線２８より、水平コイル１４のフェライトコア２０で覆われていない部分が増加する効果により、磁界の糸巻歪みが急激に強められ、画面上下ラスターの樽型歪が急俊に強められていることが分かる。
【００３４】
図４より、距離Ｃが２５ｍｍの実施形態では、線２６で示した糸巻歪は０．８で、線２７で示した樽巻歪は−０．８であり、双方の絶対値は等しい。線２８で示した樽巻歪は、線２６で示した糸巻歪より大きい。また、距離Ｃが２５ｍｍを越えると、線２６で示した糸巻歪と線２７または線２８で示した樽巻歪との差はより広がっている。
【００３５】
以上のような関係から、距離Ｃが２５ｍｍ以上である本実施形態のものは、線２６で示した糸巻歪みは、線２７または線２８で示した樽型歪によって補正されることになり、全体としては画面上下ラスターの糸巻歪が自動補正されることになる。
【００３６】
なお、前記したように本発明の実施形態では、パネルが２Ｒで１００度偏向管を用いたが、パネルがよりフラット化したものであったり、より広偏向角化したものであれば補正前のラスター歪がより大きくなる。この場合であっても、距離Ｃをより長くして、樽型歪大きくすることで補正が可能となる。
【００３７】
ただし、距離Ｃの最大値は陰極線管のアノードとの距離を確保するため６０ｍｍとすることが好ましい。
【００３８】
また、図２に示した本発明の一実施形態では、フェライトコア２０の寸法については、垂直コイルのコーン部のほぼ全体を覆うように、スクリーン側の距離Ｈを２０ｍｍとし、電子銃側の距離Ｊを４５ｍｍとしたが、必要によってさらにそれぞれ５ｍｍから１０ｍｍ短くしても良い。
【００３９】
【発明の効果】
以上のように本発明の陰極線管装置によれば、リファレンスラインに対してスクリーン側における水平コイルのコーン部の巻線角度が０度以上３０度以下である部分の長さが、リファレンスラインから２５ｍｍ以上であることにより、水平コイルの糸巻歪を強くすると共に糸巻歪を強くする磁界領域を広げることができるので、よりフラット化されたパネルや広角偏向化された受像管においても偏向ヨーク自身による画面上下のラスター歪の自動補正が可能となる。
【００４０】
さらに、フェライトコアのスクリーン側端部とリファレンスラインとの距離を２５ｍｍより短かくすることにより、糸巻歪をより強くすることができる。
【図面の簡単な説明】
【図１】本発明の陰極線管装置の一実施形態を示す側面図
【図２】図１の偏向ヨーク部の拡大図
【図３】巻線角度Ｂと磁界の歪係数Ｈｉとの関係を示す図
【図４】本発明の一実施形態における距離Ｃと偏向中心の移動によるラスター歪Ｄ、水平コイル長の延長によるラスター歪Ｄ、水平コイル長のみの延長によるラスター歪Ｄとの関係を示す図
【図５】管軸上の位置Ｐと偏向ヨークから発生している磁界Ｈとの関係を示す図
【図６】管軸上の位置Ｐと各特性への磁界の寄与率Ｒとの関係を示す図
【図７】糸巻歪が自動補正された状態の一例を示す図
【図８】偏向ヨークの開口部上下にマグネットを装着した従来例を示す図
【符号の説明】
１１，２１  偏向ヨーク
１３  リファレンスライン
１４  水平コイル
１５  垂直コイル
１６  樹脂製枠
１７  水平コイルのスクリーン側コーン部端部
１７ａ  水平コイルの電子銃側コーン部端部
１８  垂直コイルのスクリーン側コーン部端部
１８ａ  垂直コイルの電子銃側コーン部端部
１９  フェライトコアのスクリーン側端部
１９ａ  フェライトコアの電子銃側端部
２０  フェライトコア
２３  軸上の歪み係数
２４  ２次歪成分における歪み係数
２５  ４次歪成分における歪み係数
２６  偏向中心が移動したことによるラスター歪Ｄの変化を示す線
２７  水平コイル長の延長によるラスター歪Ｄの変化を示す線
２８  水平コイル長のみの延長によるラスター歪Ｄの変化を示す線
【図１】
0003543900.tif 000002
【図２】
0003543900.tif 000003
【図３】
0003543900.tif 000004
【図４】
0003543900.tif 000005
【図５】
0003543900.tif 000006
【図６】
0003543900.tif 000007
【図７】
0003543900.tif 000008
【図８】
0003543900.tif 000009